(57)【要約】【課題】上下に階層状に構築された足場装置において階層を通じて形成された通路開口を閉蓋するための足場用蓋部材を提供する。【解決手段】蓋部材(5)は、多数の目孔(6)を有するほぼ矩形の金属製メッシュ板(7)により形成され、該メッシュ板(7)の少なくとも対向する一対の縁部に沿って帯状保護材(10)を設けている。帯状保護材(10)は、分厚い弾性シート(11)の表面と裏面にそれぞれ化粧シート(12)と粘着材層(13)を積層一体化している。該帯状保護材(10)を幅方向ほぼ中央部で粘着材層(13)を内側にして半折し、メッシュ板(7)の縁部を被覆した状態で、対面する粘着材層(13)を相互に目孔(6)を介して粘着固着している。【選択図】  図３
0003118956.tif 000002
【実用新案登録請求の範囲】
【請求項１】
横方向に列設された足場板(1)を上下に間隔をあけて階層状に構築して成る足場装置において、上下に対応する足場板(1)を除くことにより階層(S)を通じて形成された通路開口(4)を閉蓋する足場用蓋部材であり、
蓋部材(5)は、多数の目孔(6)を有するほぼ矩形の金属製メッシュ板(7)により形成され、該メッシュ板(7)の少なくとも対向する一対の縁部に沿って帯状保護材(10)を設けており、
前記帯状保護材(10)は、分厚い弾性シート(11)の表面と裏面にそれぞれ化粧シート(12)と粘着材層(13)を積層一体化しており、該帯状保護材(10)を幅方向ほぼ中央部で粘着材層(13)を内側にして半折することにより断面ほぼＵ形に形成された表シート部(10a)と裏シート部(10b)によりメッシュ板(7)の縁部を被覆すると共に、表シート部(10a)と裏シート部(10b)の粘着材層(13)を相互に目孔(6)を介して粘着固着して成ることを特徴とする足場用蓋部材。
【請求項２】
横方向に列設された足場板(1)を上下に間隔をあけて階層状に構築して成る足場装置において、上下に対応する足場板(1)を除くことにより階層(S)を通じて形成された通路開口(4)を閉蓋する足場用蓋部材であり、
蓋部材(5)は、多数のスリットを設けた金属板を該スリットが拡開するように引き延ばすことにより形成されたエキスパンドメタル板(8)であって、多数の目孔(6)を構成する格子状リブ(9)の端部(9a)を該板の対向する一対の縁部に突起状に列設したメッシュ板(7)により形成され、該メッシュ板(7)の少なくとも前記一対の縁部に沿って帯状保護材(10)を設けており、
前記帯状保護材(10)は、分厚い弾性シート(11)の表面と裏面にそれぞれ化粧シート(12)と粘着材層(13)を積層一体化しており、該帯状保護材(10)を幅方向ほぼ中央部で粘着材層(13)を内側にして半折することにより断面ほぼＵ形に形成された表シート部(10a)と裏シート部(10b)によりメッシュ板(7)の縁部を被覆すると共に、表シート部(10a)と裏シート部(10b)の粘着材層(13)を相互に目孔(6)を介して粘着固着して成ることを特徴とする足場用蓋部材。
【考案の詳細な説明】
【技術分野】
【０００１】
本考案は、上下に階層状に構築された足場装置において階層を通じて形成された通路開口を閉蓋するための足場用蓋部材に関する。
【背景技術】
【０００２】
従来、高層建築物などを建造する際に構築される足場装置は、横方向に列設された足場板を上下に間隔をあけて階層状に構築されている。
【０００３】
そこで、作業者は、階層に応じた足場板の上で所定の作業を行うことができるが、足場装置には、階層の上下に対応する足場板を除くことにより階層を通じて通路開口が形成されている。このような通路開口は、建築物の躯体を建造した後、該建築物に所望の配管などを配設するための空間とされており、配管作業を容易とする。また、配管を行う前は、作業者が上下の階層を昇り降りするために通路開口が利用される。ところが、通路開口が開放されたままだと、作業者が落下する危険があるため、常時は蓋部材により通路開口を開閉自在に施蓋している。
【０００４】
【特許文献１】特開２００４−２７０４２１公報
【特許文献２】特開平１１−２１０２３１公報
【考案の開示】
【考案が解決しようとする課題】
【０００５】
通路開口を施蓋する蓋部材は、足場板を所定の大きさに切断することにより適宜に準備することができるが、その場合、施蓋状態で蓋部材と足場板が相互に外観を類似しているため、作業者がどこに蓋部材があるのか認識し難く、極めて便利が悪い。そして、もしも、蓋部材が正しく設置されておらず、通路開口の一部を開口させた状態で設置されていると、作業者が足を踏み外す虞れがあり、極めて危険である。
【０００６】
この点に関して、本考案者らは、蓋部材を多数の目孔を有するメッシュ板により形成すれば、作業者が足場板の上を歩行する際、目孔を介して下方空間が視認され、その部分に通路開口が形成されていることを容易に認識できるので、注意を喚起し安全であることを知得した。しかも、このようなメッシュ板であれば、夜間や、暗い場所でも、投光器などの照明器具により上下の階層を通じて照明を行うことができるので、作業が安全であると共に、不審者などの侵入を防止することができるという利点がある。
【０００７】
ところで、蓋部材を形成するメッシュ板は、前述の目的に応じて、例えば、パンチングメタル板のようなものを使用することもできるが、透光性を最大限に良好とするためには  、網目状に形成されるエキスパンドメタル板を使用することが好ましい。エキスパンドメタル板は、金属板に多数のスリットを形成した状態でスリットを拡開するように引き延ばしたものであり、パンチングメタル板よりもはるかに強度が高く足場用蓋部材に適しており、しかも、網目を形成する格子部分がエッジを表面に向けたリブを構成するので、作業者の足が滑り難く、安全性が求められる足場用蓋部材として最適である。
【０００８】
ところが、エキスパンドメタル板は、スリットを拡開するように引き延すことにより形成されたものであるため、少なくとも、対向する一対の縁部に前述のリブの端部を突起状に列設する。このため、リブの端部を列設した縁部を素手で握持すると負傷する危険がある。特に、足場用蓋部材の場合、作業者が通路開口を経て上下の階層を行き来するたびに蓋部材を開閉する必要があるため、このような危険が特に憂慮される。
【課題を解決するための手段】
【０００９】
本考案は、上記問題を解決した足場用蓋部材を提供するものであり、その第一の手段として構成したところは、横方向に列設された足場板を上下に間隔をあけて階層状に構築して成る足場装置において、上下に対応する足場板を除くことにより階層を通じて形成された通路開口を閉蓋する足場用蓋部材であり、蓋部材は、多数の目孔を有するほぼ矩形の金属製メッシュ板により形成され、該メッシュ板の少なくとも対向する一対の縁部に沿って帯状保護材を設けており、前記帯状保護材は、分厚い弾性シートの表面と裏面にそれぞれ化粧シートと粘着材層を積層一体化しており、該帯状保護材を幅方向ほぼ中央部で粘着材層を内側にして半折することにより断面ほぼＵ形に形成された表シート部と裏シート部によりメッシュ板の縁部を被覆すると共に、表シート部と裏シート部の粘着材層を相互に目孔を介して粘着固着して成る点にある。
【００１０】
また、本考案が第二の手段として構成したところは、横方向に列設された足場板を上下に間隔をあけて階層状に構築して成る足場装置において、上下に対応する足場板を除くことにより階層を通じて形成された通路開口を閉蓋する足場用蓋部材であり、蓋部材は、多数のスリットを設けた金属板を該スリットが拡開するように引き延ばすことにより形成されたエキスパンドメタル板であって、多数の目孔を構成する格子状リブの端部を該板の対向する一対の縁部に突起状に列設したメッシュ板により形成され、該メッシュ板の少なくとも前記一対の縁部に沿って帯状保護材を設けており、前記帯状保護材は、分厚い弾性シートの表面と裏面にそれぞれ化粧シートと粘着材層を積層一体化しており、該帯状保護材を幅方向ほぼ中央部で粘着材層を内側にして半折することにより断面ほぼＵ形に形成された表シート部と裏シート部によりメッシュ板の縁部を被覆すると共に、表シート部と裏シート部の粘着材層を相互に目孔を介して粘着固着して成る点にある。
【考案の効果】
【００１１】
本考案によれば、蓋部材５は、多数の目孔６を有するメッシュ板７により形成されている。従って、作業者が足場板の上を歩行する際、目孔６を介して下方空間を視認し、その部分に通路開口４が形成されていることを容易に認識できるので、注意が喚起され、作業の安全性を保証することができる。しかも、蓋部材５の目孔６により、夜間や、暗い場所でも、投光器などの照明器具により上下の階層Ｓを通じて照明を行うことが可能になるので、作業の安全と不審者などの侵入の防止にも役立つ。
【００１２】
そして、蓋部材５をエキスパンドメタル板８により形成した本考案によれば、透光性を最大限に良好とすることにより、上記効果を向上できるだけでなく、強度が高いので足場用蓋部材に適しており、しかも、格子部分を構成するリブ９がエッジを表面に向けているので、作業者の足が滑り難く、作業の安全性を保証できる。
【００１３】
そして、本考案は、メッシュ板７の少なくとも一対の縁部に沿って帯状保護材１０を設けている。従って、蓋部材５をエキスパンドメタル板８により形成した場合は、格子部分を形成するリブ９の端部９ａが少なくとも該板の対向する一対の縁部に突起状に列設され、素手で握持すると負傷する危険がある点に関して、これらの突起状のリブ端９ａを帯状保護材１０により被覆しているので、安全である。
【００１４】
特に、本考案によれば、帯状保護材１０は、分厚い弾性シート１１の表面と裏面にそれぞれ化粧シート１２と粘着材層１３を積層一体化した構成とされており、該帯状保護材１０を幅方向ほぼ中央部で粘着材層１３を内側にして半折することにより断面ほぼＵ形に形成された表シート部１０ａと裏シート部１０ｂによりメッシュ板７の縁部を被覆すると共に、表シート部１０ａと裏シート部１０ｂの粘着材層を相互に目孔６を介して粘着固着している。従って、蓋部材５により通路開口４を施蓋した状態で、帯状保護材１０が通路開口４の開口縁に当接し、分厚い弾性シート１０により金属製メッシュ板７を弾性的に支持するので、作業者が蓋部材５を踏みつけた際に、蓋部材５が躍動することはなく、むしろ弾性的に馴染んで遊動しないように密着し、また、メッシュ板７の縁部によりガタツキ音などの騒音を生じることもない。しかも、作業者が蓋部材５を握持して通路開口４の開閉を行う場合にも、弾性を有するために感触が良く、たとえ強く握持しても、弾性シート１１により被覆されたリブ端９ａが帯状保護材１０を刺突して貫通するようなことはなく、安全性が高い。
【００１５】
更に、表面には化粧シート１２が一体化されているので、例えば、該化粧シート１２に黄色と黒色の縞模様から成る注意喚起表示を施し、蓋部材５の存在による通路開口４の位置を目立たせることにより、作業の安全確保と、上下階層を行き来する作業能率の向上を可能にする。
【００１６】
そして、帯状保護材１０は、蓋部材５に対して、粘着材層１３により容易に取付けることができ、特に、表シート部１０ａと裏シート部１０ｂの粘着材層１３を相互に目孔６を介して直接に粘着固着する構成であるから、固着力が高く脱落する虞れもなく、長期間の使用に耐えることができる。
【考案を実施するための最良の形態】
【００１７】
以下図面に基づいて本考案の好ましい実施形態を詳述する。
【００１８】
図１は、階層状に構築された足場装置の一つの階層部分を示しており、図示省略した支柱に架設された梁１に多数の足場板２が横方向に列設されることにより階層Ｓを構成しており、このような階層Ｓが上下に間隔をあけて構築されている。そこで、上下の階層Ｓを通じて、上下に対応する足場板２を設けていない空間により、通路３の開口４が形成されている。このような通路３は、建築物の躯体を建造した後、該建築物に所望の配管などを配設するための通路空間であり、配管作業を容易とする。また、配管を行う前は、作業者が上下の階層Ｓを昇り降りするために通路開口４を利用する。そこで、通路開口４は、常時は蓋部材５により開閉自在に施蓋されている。従って、作業者が足場板２の上と蓋部材５の上を行き来することになる。
【００１９】
図２及び図３に示すように、蓋部材５は、多数の目孔６を有するほぼ矩形の金属製メッシュ板７により構成されており、該メッシュ板７は、好ましくは、多数のスリットを設けた金属板を該スリットが拡開するように引き延ばすことにより網目状に形成されたエキスパンドメタル板８により構成されている。このようなエキスパンドメタル板８は、透光性に優れると共に強度が高く、しかも、網目を形成する格子部分がエッジを表面に向けたリブ９を構成するので、蓋部材５の上を歩行する作業者の足が滑り難い。
【００２０】
蓋部材５は、通路開口４を開閉自在に施蓋するようにエキスパンドメタル板８によりほぼ矩形に形成され、その際、多数の目孔６を構成する格子状リブ９の端部９ａを該板８の対向する一対の縁部に突起状に列設するが、少なくとも前記一対の縁部に沿って帯状保護材１０を設けている。
【００２１】
帯状保護材１０は、図４（Ａ）に示すように、分厚い弾性シート１１の表面と裏面にそれぞれ化粧シート１２と粘着材層１３を積層一体化したもので、長尺帯状のものを所望の長さに切断することにより使用される。尚、帯状保護材１０の化粧シート１２は、例えば、黄色と黒色の縞模様を施したり、単色の場合には朱色や黄色の目立つ色調のものとされることにより、視覚に訴える注意喚起表示を構成する。
【００２２】
帯状保護材１０をエキスパンドメタル板８のようなメッシュ板７の縁部に取付けるに際しては、図４（Ｂ）に示すように、該帯状保護材１０を幅方向ほぼ中央部で粘着材層１３を内側にして半折することにより断面ほぼＵ形に形成された表シート部１０ａと裏シート部１０ｂによりメッシュ板７の縁部を被覆すると共に、表シート部１０ａと裏シート部１０ｂの粘着材層１３を相互に目孔を介して粘着固着する。
【００２３】
本考案の蓋部材５により足場装置の通路開口４を施蓋しておけば、作業者が通路開口４から落下する危険はなく、安全に作業を行うことができる。この際、蓋部材５は、多数の目孔６を有するエキスパンドメタル板８等のメッシュ板７により形成されているので、作業者が足場板の上を歩行する際、目孔６を介して下方空間を視認する。しかも、蓋部材５に取付けられた帯状保護材１０の化粧シート１２には黄色と黒色の縞模様等の注意喚起表示が施されている。従って、蓋部材５の存在による通路開口４の位置を目立たせ、作業者は、その部分に通路開口４が形成されていることを認識するように注意を喚起される。また、目孔６により、夜間や、暗い場所でも、投光器などの照明器具により上下の階層Ｓを通じて照明を行うことが可能になる。
【００２４】
そして、蓋部材５をエキスパンドメタル板８により形成しておけば、軽量でありながら強度が高く、作業者の荷重に耐えることができ、しかも、リブ９がエッジを表面に向けているので、作業者の足が滑り難く、作業の安全性を保証する。
【００２５】
この際、蓋部材５には分厚い弾性シート１１を備えた帯状保護材１０が設けられているので、蓋部材５により通路開口４を施蓋した状態で、帯状保護材１０が通路開口４の開口縁に当接し、分厚い弾性シート１０によりメッシュ板７を弾性的に支持する。従って、作業者が蓋部材５を踏みつけたとき、蓋部材５が躍動することはなく、むしろ弾性的に馴染んで遊動しないように密着し、また、メッシュ板７の縁部がガタツキ音などの騒音を生じることもない。
【００２６】
ところで、作業者が上下の階層Ｓを行き来する場合は、蓋部材５を取外すことにより通路開口４を開放する必要があるが、この際、作業者は、帯状保護材１０を把手として握持することにより蓋部材５を持ち上げれば良い。前述のように、蓋部材５をエキスパンドメタル板８により形成している場合、リブ９の端部９ａが少なくとも該板の対向する一対の縁部に突起状に列設され、素手で握持すると負傷する危険があるが、これらの突起状のリブ端９ａは帯状保護材１０により被覆されているので、そのような危険はない。しかも、帯状保護材１０は、弾性を有するので、握持の際の感触が良く、たとえ強く握持しても、弾性シート１１により被覆されたリブ端９ａが帯状保護材１０を刺突して貫通するようなことはないので安全である。
【００２７】
そして、蓋部材５を頻繁に持ち上げるようなときでも、帯状保護材１０は、表シート部１０ａと裏シート部１０ｂの粘着材層１３を相互に目孔６を介して直接に粘着固着しているので、固着力が高く脱落する虞れがなく、長期間の使用に耐える。
【図面の簡単な説明】
【００２８】
【図１】本考案の１実施形態に係る蓋部材を使用した足場装置の１例を示す断面図である。
【図２】本考案の１実施形態に係る蓋部材の外観を概略的に示す斜視図である。
【図３】本考案の１実施形態に係る蓋部材の要部を一部切欠状態にて示す斜視図である。
【図４】本考案の蓋部材における帯状保護材の1例を示しており、（Ａ）は帯状保護材の断面図であり、（Ｂ）は帯状保護材をメッシュ板に取付けた部分の断面図である。
【符号の説明】
【００２９】
２    足場板
３    通路
４    通路開口
５    蓋部材
６    目孔
７    メッシュ板
８    エキスパンドメタル板
９    リブ
９ａ  リブ端
１０    帯状保護材
１１    弾性シート
１２    化粧シート
１３    粘着材層
【図１】
0003118956.tif 000003
【図２】
0003118956.tif 000004
【図３】
0003118956.tif 000005
【図４】
0003118956.tif 000006